(57)【特許請求の範囲】
【請求項１】
少なくとも１つ以上の電子装置が送信したセンサー情報を処理する方法であって、
センサー情報処理装置が、前記少なくとも１つ以上の電子装置からセンサー情報を受信する段階と、
前記センサー情報処理装置が、受信したセンサー情報に基づいて前記電子装置が備えた少なくとも１つ以上のセンサーのうちのいずれか１つのセンサーを代表センサーと決定する段階と、
前記センサー情報処理装置が、前記少なくとも１つ以上の電子装置に代表センサー関連情報を送信する段階と、を含み、前記代表センサー関連情報は休眠状態関連情報を含み、前記休眠状態関連情報は代表センサーのパターンと相違するパターンが獲得されるまでセンサーデータを送信しないようにすることを指示する情報を含むセンサー情報処理方法。
【請求項２】
前記センサー情報は、
前記少なくとも１つ以上のセンサーが収集したセンサーデータ及び前記センサーと前記電子装置に関するセンサー関連情報から構成され、
前記センサー関連情報は、
センサーの種類、位置、センサー情報を送信するセンサーのリスト、センサーの電源類型、センサー情報を送信する信号の強度またはセンサー情報を記憶するメモリーサイズのうちの少なくともいずれか１つに関する情報を含むことを特徴とする、請求項１に記載のセンサー情報処理方法。
【請求項３】
前記代表センサー関連情報は、
前記決定された代表センサーのセンサーデータまたはパターン、前記代表センサーのセンサー関連情報、センサー間の関係情報、または、同じセンサーデータパターンを持っていることを示すファミリセンサー情報のうちのいずれか少なくとも１つを含むことを特徴とする、請求項１に記載のセンサー情報処理方法。
【請求項４】
前記センサー情報を受信する段階は、
前記電子装置に前記センサー情報のリクエストを送信する段階と、
前記電子装置が送信したセンサー情報を受信する段階と、を含むことを特徴とする、請求項１に記載のセンサー情報処理方法。
【請求項５】
前記代表センサーを決定する段階は、
前記センサー情報に含まれて前記少なくとも１つ以上のセンサーから収集されたセンサーデータを前記センサーの種類によってグループ化する段階と、
前記グループ化したセンサーデータのパターンが互いに一致するか否かを判断する段階と、
一致するセンサーデータパターンを持つセンサーをファミリセンサーと決定する段階と、
前記ファミリセンサーのセンサーの前記センサー関連情報に基づいて代表センサーを決定する段階と、を含むことを特徴とする、請求項２に記載のセンサー情報処理方法。
【請求項６】
前記代表センサーを決定する段階は、
前記ファミリセンサーの中で有線電源によって動作する電子装置に備えたセンサー、
センサー情報を送信するためのリクエストの数が最も少ないセンサー、
または前記センサー情報の受信信号強度が最も大きいセンサーのうちのいずれか１つを代表センサーと決定することを特徴とする、請求項５に記載のセンサー情報処理方法。
【請求項７】
電子装置のセンサー情報送信方法であって、
前記電子装置が、前記電子装置が備えた少なくとも１つのセンサーを用いてセンサーデータを収集する段階と、
前記電子装置が、前記センサーデータ及び前記少なくとも１つのセンサーと前記電子装置に関する情報であるセンサー関連情報を含むセンサー情報をセンサー情報処理装置に送信する段階と、
前記電子装置が、前記センサー情報処理装置が決定された代表センサーに関する情報を受信する段階と、を含み、前記代表センサーに関する情報は休眠状態関連情報を含み、前記休眠状態関連情報は代表センサーのパターンと相違するパターンが獲得されるまでセンサーデータを送信しないようにすることを指示する情報を含むセンサー情報送信方法。
【請求項８】
前記センサー関連情報は、
センサーの種類、位置、センサー情報を送信するセンサーのリスト、センサーの電源類型、センサー情報を送信する信号の強度またはセンサー情報を記憶するメモリーサイズのうちの少なくともいずれか１つに関する情報を含むことを特徴とする、請求項７に記載のセンサー情報送信方法。
【請求項９】
前記代表センサーに係る情報は、
前記決定された代表センサーのセンサーデータまたはパターン、前記代表センサーのセンサー関連情報、センサー間の関係情報、または、同じセンサーデータパターンを持っていることを示すファミリセンサー情報のうちのいずれか１つを含むことを特徴とする、請求項７に記載のセンサー情報送信方法。
【請求項１０】
前記電子装置が、前記少なくとも１つのセンサーが代表センサーであるか否かを判断する段階をさらに含み、
前記判断の結果、代表センサーではない場合、
予め設定された時間が経過した後、または
前記代表センサーのセンサーデータパターンと許容偏差を超過するセンサーデータが発生する場合にセンサー情報を送信することを特徴とする、請求項７に記載のセンサー情報送信方法。
【請求項１１】
少なくとも１つ以上の電子装置が送信したセンサー情報を処理するセンサー情報処理装置であって、
データ通信を行う通信部と、
前記少なくとも１つ以上の電子装置からセンサー情報を受信し、受信したセンサー情報に基づいて前記電子装置が備えた少なくとも１つ以上のセンサーのうちのいずれか１つのセンサーを代表センサーと決定し、前記少なくとも１つ以上の電子装置に代表センサー関連情報を送信する制御部と、
前記代表センサー関連情報を記憶する記憶部と、を含み、前記代表センサー関連情報は休眠状態関連情報を含み、前記休眠状態関連情報は代表センサーのパターンと相違するパターンが獲得されるまでセンサーデータを送信しないようにすることを指示する情報を含むセンサー情報処理装置。
【請求項１２】
前記センサー情報は、
前記少なくとも１つ以上のセンサーが収集したセンサーデータ及び前記センサーと前記電子装置に関するセンサー関連情報から構成され、
前記センサー関連情報は、
センサーの種類、位置、センサー情報を送信するセンサーのリスト、センサーの電源類型、センサー情報を送信する信号の強度またはセンサー情報を記憶するメモリーサイズのうちの少なくともいずれか１つに関する情報を含むことを特徴とする請求項１１に記載のセンサー情報処理装置。
【請求項１３】
前記代表センサー関連情報は、
前記決定された代表センサーのセンサーデータまたはパターン、前記代表センサーのセンサー関連情報、センサー間の関係情報、または、同じセンサーデータパターンを持っていることを示すファミリセンサー情報のうちのいずれか１つを含むことを特徴とする、請求項１１に記載のセンサー情報処理装置。
【請求項１４】
前記制御部は、
前記電子装置にセンサー情報送信リクエストを送信し、前記電子装置が送信したセンサー情報を受信することを特徴とする、請求項１１に記載のセンサー情報処理装置。
【請求項１５】
前記制御部は、
前記センサー情報に含まれた前記少なくとも１つ以上のセンサーが収集したセンサーデータを前記センサーの種類によってグループ化し、前記グループ化したセンサーデータのパターンが互いに一致するか否かを判断し、判断結果、一致するセンサーデータパターンを持つセンサーをファミリセンサーと決定し、前記ファミリセンサーのセンサーの前記センサー関連情報に基づいて代表センサーを決定することを特徴とする、請求項１２に記載のセンサー情報処理装置。
【請求項１６】
前記制御部は、
前記ファミリセンサーの中で有線電源によって動作する電子装置に備えたセンサー、
センサー情報を送信するためのリクエストの数が最も少ないセンサー、または
前記センサー情報の受信信号強度が最も大きいセンサーのうちの１つを代表センサーと決定することを特徴とする、請求項１５に記載のセンサー情報処理装置。
【請求項１７】
電子装置であって、
データ通信を行う通信部と、
センサーデータを収集する少なくとも１つのセンサー部と、
前記センサーデータ及び前記少なくとも１つのセンサーと前記電子装置に関する情報であるセンサー関連情報を含むセンサー情報をセンサー情報処理装置に送信し、前記センサー情報処理装置が決定した代表センサーに関する情報を受信する制御部と、
前記センサー情報及び前記代表センサーに関する情報を記憶する記憶部と、を含み、前記代表センサーに関する情報は休眠状態関連情報を含み、前記休眠状態関連情報は代表センサーのパターンと相違するパターンが獲得されるまでセンサーデータを送信しないようにすることを指示する情報を含む電子装置。
【請求項１８】
前記センサー関連情報は、
センサーの種類、位置、センサー情報を送信するセンサーのリスト、センサーの電源類型、センサー情報を送信する信号の強度またはセンサー情報を記憶するメモリーサイズのうちの少なくともいずれか１つに関する情報を含むことを特徴とする、請求項１７に記載の電子装置。
【請求項１９】
前記代表センサーに係る情報は、
前記決定された代表センサーのセンサーデータまたはパターン、前記代表センサーのセンサー関連情報、センサー間の関係情報、または、同じセンサーデータパターンを持っていることを示すファミリセンサー情報のうちのいずれか１つを含むことを特徴とする、請求項１７に記載の電子装置。
【請求項２０】
前記制御部は、
前記少なくとも１つのセンサーが代表センサーであるか否かをさらに判断し、
前記判断の結果、代表センサーではない場合、
予め設定された時間が経過した後、または
前記代表センサーのセンサーデータパターンと許容偏差を超過するセンサーデータが発生した場合にセンサー情報を送信することを特徴とする、請求項１７に記載の電子装置。
【発明の詳細な説明】
【技術分野】
【０００１】
本発明は、データ処理方法及び装置に関する。より具体的に、本発明は複数のセンサーから収集したセンサーデータを用いて代表センサーを決定し、決定された代表センサーのセンサーデータを用いてセンサーデータを処理する方法及び装置に関する。
【背景技術】
【０００２】
インターネットは人間が情報を生成して消費する人間中心の連結網から事物などの分散した構成要素の間に情報を取り交わして処理するＩｏＴ(Ｉｎｔｅｒｎｅｔ ｏｆ Ｔｈｉｎｇｓ、モノのインターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も現れている。ＩｏＴを具現するためにセンシング技術、有無線通信及びネットワークインフラ、サービスインターフェース技術、及び保安技術のような技術要素が求められ、近年には事物間の接続のためのセンサーネットワーク(ｓｅｎｓｏｒ ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。
【０００３】
ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業の間の融合及び複合を通じてスマートホーム、スマートビルディング、スマートシティ、スマートカー又はコネクテッドカー、スマートグリッド、ヘルスケア、スマート家電、先端医療サービスなどの分野に応用されることができる。
【０００４】
ＩｏＴ環境でネットワークで接続された多くの機器は各種センサーを備えることができる。これら機器に備えられた各種センサーが収集した情報はサービスに活用されるようにネットワークで伝達されてサーバーに記憶されることができる。
【発明の概要】
【発明が解決しようとする課題】
【０００５】
ＩｏＴ環境ではネットワークと接続された機器の数が増加するほど当該機器が備えたセンサーデータの量が増加し、これらセンサーデータの種類や内容が重複される状況が発生することができる。したがって、同一センサーにより同一空間、同一時間帯に収集されたデータは重複された情報にもかかわらず、収集されたセンサーデータの送信のために前記データの不必要な送信及び記憶による各機器の電力消耗、通信リソース及び記憶空間の浪費が発生することができる。
【課題を解決するための手段】
【０００６】
本発明の実施形態によれば、前記及び他の問題点を解決するためにセンサー情報を処理するための方法及び装置が提供される。
【発明の効果】
【０００７】
本発明の多様な実施形態によれば、重複されるセンサーデータの中で代表センサーと決定されたデータだけ送信されるので効率的な電力制御が可能である。
【０００８】
また、本発明の多様な実施形態によれば、有効な代表センサーのデータだけが記憶されるので、メモリーを効率的に用いることができる。
【０００９】
本発明の前記開示された内容及び他の側面、特徴、効果は後述する図面と共に伴う詳細な説明からより明らかになるだろう。
【図面の簡単な説明】
【００１０】
【図１】本発明のセンサー情報処理装置が動作する環境を説明するための概念図である。
【図２】本発明のセンサー情報処理装置の動作を示すフローチャートである。
【図３】本発明によるセンサー情報処理装置が電子装置からセンサー情報を受信する方法を示す図面である。
【図４】センサー情報処理装置が代表センサーを決定する方法を示すフローチャートである。
【図５】本発明の実施形態による、代表センサーを決定し、代表センサー関連情報によって各センサーの動作を示す概念図である。
【図６】本発明のまた他の実施形態による、代表センサーを決定し、代表センサー関連情報によって各センサーの動作を示す概念図である。
【図７】本発明による、各センサーを備えた電子装置の動作を示すフローチャートである。
【図８】本発明によるセンサー情報処理装置がパターン再検査リクエストを受信した場合の動作を示すフローチャートである。
【図９】本発明の一実施形態によるセンサー情報処理装置の構成を示す装置図である。
【図１０】本発明の電子装置の構成を示す装置図である。
【発明を実施するための形態】
【００１１】
以下、本発明の多様な実施形態を添付された図面を参照して詳細に説明する。
【００１２】
実施形態を説明するにあたり本発明が属する技術分野によく知られており、本発明と直接的に関連がない技術内容に対しては説明を省略する。これは不必要な説明を省略することによって本発明の要旨を明瞭でかつ明確に伝達するためである。
【００１３】
同じ理由で添付図面において一部構成要素は誇張されたり省略されたり概略的に示された。また、各構成要素のサイズは実際サイズを全的に反映することではない。各図面で同一または対応する構成要素には同一参照番号を付した。
【００１４】
本発明の利点、特徴、及びそれらを達成する方法は、添付される図面と共に詳細に後述されている実施形態を参照すると明確になるだろう。しかし、本発明は、以下で開示される実施形態で限定されるものではなく、互い異なる多様な形態で具現されることができ、ただ、本実施形態は本発明の開示が完全にして、本発明が属する技術分野で通常の知識を有する者に発明の範疇を完全に知らせるために提供されるもので、本発明は請求項の範疇により定義されるだけである。明細書全体にわたって同一参照符号は同一の構成要素を指す。
【００１５】
このとき、処理フローチャートの各ブロックとフローチャートの図面の組合は、コンピュータープログラムインストラクションによって行われることができることを理解することができるだろう。これらコンピュータープログラムインストラクションは、汎用コンピューター、特殊用コンピューター又はその他プログラム可能なデータプロセッシング装備のプロセッサに搭載されることができるので、コンピューター又はその他プログラム可能なデータプロセッシング装備のプロセッサを介して行われるそのインストラクションが、フローチャートブロックで説明された機能を行う手段を生成するようになる。これらコンピュータープログラムインストラクションは、特定方式で機能を具現するためにコンピューター又はその他プログラム可能なデータプロセッシング装備を志向することができるコンピューター利用可能、又はコンピューター判読可能メモリーに記憶されることも可能であるので、そのコンピューター利用可能又はコンピューター判読可能メモリーに記憶されたインストラクションは、フローチャートブロックで説明された機能を行うインストラクション手段を内包する製造品目を生産することも可能である。コンピュータープログラムインストラクションは、コンピューター又はその他プログラム可能なデータプロセッシング装備上に搭載されることも可能であるので、コンピューター又はその他プログラム可能なデータプロセッシング装備上で一連の動作段階が行われ、コンピューターで実行されるプロセスを生成してコンピューター又はその他プログラム可能なデータプロセッシング装備を行うインストラクションはフローチャートブロックで説明された機能を行うための段階を提供することも可能である。
【００１６】
また、各ブロックは、特定された論理的機能を行うための１つ以上の実行可能なインストラクションを含むモジュール、セグメント又はコードの一部を示すことができる。また、幾つか代替実行例ではブロックで言及された機能が段階を外れて発生することも可能であることを注目しなければならない。例えば、接して示されている２つのブロックは、実は実質的に同時に行われることも可能で、又はそのブロックが時々該当する機能によって逆順に行われることも可能である。
【００１７】
このとき、本実施形態に用いられる‘〜部’という用語は、ソフトウェア又はＦＰＧＡ、並びにＡＳＩＣのようなハードウェア構成要素を意味し、‘〜部’はどんな役目を行う。しかし、‘〜部’は、ソフトウェア又はハードウェアで限定される意味ではない。‘〜部’はアドレシングすることができる記憶媒体にあるように構成されることもでき、１つ又はその以上のプロセッサを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーティン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さい数の構成要素及び‘〜部’に結合されたり追加的な構成要素と‘〜部’でさらに分離することができる。それだけでなく、構成要素及び‘〜部’はデバイス又は保安マルチメディアカード内の１つ又はその以上のＣＰＵを再生させるように具現されることもできる。
【００１８】
本発明のセンサー情報処理装置は、一定範囲の電子装置が備えた少なくとも１つ以上のセンサーから収集したセンサー情報を処理することができる。電子装置は少なくとも１つ以上のセンサーを備えてセンサーの種類には制限がない。ただ本明細書では説明の便宜上、センサーの種類が温度センサー、湿度センサー、照度センサー、動体センサー、ほこりセンサー、においセンサーまたは音センサーのうちのいずれか１つで仮定して説明する。また、本明細書においてセンサーを備えた電子装置は、センサー及び通信機能が含まれた装置であることができる。例えば、電子装置はスマートフォン(ｓｍａｒｔ ｐｈｏｎｅ)、タブレットＰＣ(ｔａｂｌｅｔ ｐｅｒｓｏｎａｌｃｏｍｐｕｔｅｒ)、移動電話機(ｍｏｂｉｌｅｐｈｏｎｅ)、画像電話機、電子ブックリーダー機(ｅ−ｂｏｏｋ ｒｅａｄｅｒ)、デスクトップＰＣ(ｄｅｓｋｔｏｐ ｐｅｒｓｏｎａｌ ｃｏｍｐｕｔｅｒ)、ラップトップＰＣ(ｌａｐｔｏｐ ｐｅｒｓｏｎａｌ ｃｏｍｐｕｔｅｒ)、ネッブックコンピューター(ｎｅｔｂｏｏｋ ｃｏｍｐｕｔｅｒ)、ＰＤＡ(ｐｅｒｓｏｎａｌ ｄｉｇｉｔａｌ ａｓｓｉｓｔａｎｔ)、ＰＭＰ(ｐｏｒｔａｂｌｅ ｍｕｌｔｉｍｅｄｉａ ｐｌａｙｅｒ)、ＭＰ３プレーヤー、モバイル医療機器、カメラ(ｃａｍｅｒａ)、またはウェアラブル装置(ｗｅａｒａｂｌｅｄｅｖｉｃｅ)(例えば、電子メガネのようなｈｅａｄ−ｍｏｕｎｔｅｄ−ｄｅｖｉｃｅ(ＨＭＤ)、電子衣服、電子腕輪、電子ネックレス、電子アプセサリ(ａｐｐｃｅｓｓｏｒｙ)、電子タトゥ、またはスマートワッチ(ｓｍａｒｔ ｗａｔｃｈ))のうちの少なくとも１つを含むことができる。また、電子装置はセンサー及び通信機能を備えたスマート家電製品(ｓｍａｒｔ ｈｏｍｅ ａｐｐｌｉａｎｃｅ)であることができる。例えば、本明細書において電子装置はテレビ、ＤＶＤ(ｄｉｇｉｔａｌ ｖｉｄｅｏ ｄｉｓｋ) プレーヤー、オーディオ、冷蔵庫、エアコン、清掃機、オーブン、電子レンジ、洗濯機、エアクリーナー、セットトップボックス(ｓｅｔ−ｔｏｐｂｏｘ)、ＴＶボックス(例えば、三星ＨｏｍｅＳｙｎｃＴＭ、アップルＴＶＴＭ、またはＧｏｏｇｌｅＴＶＴＭ)、ゲームコンソール(ｇａｍｅｃｏｎｓｏｌｅｓ)、電子辞典、電子キー、キャムコーダー(ｃａｍｃｏｒｄｅｒ)、または電子額縁のうちの少なくとも１つを含むことができる。また、電子装置は各種医療機器(例えば、ＭＲＡ(ｍａｇｎｅｔｉｃ ｒｅｓｏｎａｎｃｅ ａｎｇｉｏｇｒａｐｈｙ)、ＭＲＩ(ｍａｇｎｅｔｉｃ ｒｅｓｏｎａｎｃｅ ｉｍａｇｉｎｇ)、ＣＴ(ｃｏｍｐｕｔｅｄ ｔｏｍｏｇｒａｐｈｙ)、撮影機、超音波機など)、ナビゲーション(ｎａｖｉｇａｔｉｏｎ)装置、ＧＰＳ受信機(ｇｌｏｂａｌ ｐｏｓｉｔｉｏｎｉｎｇ ｓｙｓｔｅｍ ｒｅｃｅｉｖｅｒ)、ＥＤＲ(ｅｖｅｎｔ ｄａｔａ ｒｅｃｏｒｄｅｒ)、ＦＤＲ(ｆｌｉｇｈｔ ｄａｔａ ｒｅｃｏｒｄｅｒ)、自動車インフォテーンメント(ｉｎｆｏｔａｉｎｍｅｎｔ)装置、船舶用電子装備(例えば、船舶用航法装置及びジャイロコンパスなど)、航空電子機器(ａｖｉｏｎｉｃｓ)、保安機器、車用ヘッドユニット、産業用または家庭用ロボット、金融機関のＡＴＭ(ａｕｔｏｍａｔｉｃ ｔｅｌｌｅｒ’ｓｍａｃｈｉｎｅ)または商店のＰＯＳ(ｐｏｉｎｔ ｏｆ ｓａｌｅｓ)のう���の少なくとも１つを含むことができる。
【００１９】
また、本発明の一実施形態によれば、電子装置はセンサー及び通信機能を含む家具(ｆｕｒｎｉｔｕｒｅ)または建物／構造物の一部、電子ボード(ｅｌｅｃｔｒｏｎｉｃ ｂｏａｒｄ)、電子サイン入力装置(ｅｌｅｃｔｒｏｎｉｃ ｓｉｇｎａｔｕｒｅ ｒｅｃｅｉｖｉｎｇ ｄｅｖｉｃｅ)、プロジェクター(ｐｒｏｊｅｃｔｏｒ)、または各種計測機器(例えば、水道、電気、ガス、または電波計測機器など)のうちの少なくとも１つを含むことができる。本明細書において電子装置は前述の多様な装置のうちの１つまたはその以上の組合であることができる。また、電子装置はフレキシブル装置であることができる。また、本明細書において電子装置が備えたセンサー自体が通信機能を揃えた場合にはセンサーと電子装置という用語が混用される可能性があることを明示する。
【００２０】
本発明の多様な実施形態によれば、重複されるセンサーデータの中で代表センサーと決定されたデータだけ送信されるので効率的な電力制御が可能である。
【００２１】
本発明の多様な実施形態によれば、有効な代表センサーのデータだけが記憶されるので、メモリーを効率的に用いることができる。
【００２２】
また、本発明の一実施形態によれば、電子装置が備えたセンサーが収集した情報をセンサーデータと言い、収集したセンサーデータまたは電子装置に係る情報をセンサー関連情報という。また、電子装置はセンサーデータとセンサー関連情報を含むセンサー情報をセンサー情報処理装置で送信することができる。ここで、センサーデータは温度データ、湿度データなどをデータその自体を意味し、これらデータは時間による値を含むことができる。センサー関連情報はセンサーの種類、センサーの位置、センサーの電源類型、センサー情報を送信する信号の出力などに関する情報を含むことができる。
【００２３】
図１は、本発明のセンサー情報処理装置が動作する環境を説明するための概念図である。
【００２４】
図１によれば、本発明のセンサー情報処理装置１００は複数のセンサー(第１センサー１０１、第２センサー１０２、第３センサー１０３、第４センサー１０４、…、第ｎセンサー１０５)から各センサーが獲得したセンサーデータ及びセンサー関連情報を含むセンサー情報を受信し、受信したセンサー情報を処理することができる。
【００２５】
センサー情報処理装置１００は、受信したセンサー情報に含まれたセンサーデータをセンサーの種類、位置またはセンサーデータのパターンなどによりグループ化できる。また、複数のセンサーのうち、ある１つのセンサーを代表センサーと決定し、残りセンサーのセンサー情報を受信せず代表センサーに限ってセンサー情報を受信することができる。すなわち、センサー情報処理装置１００は代表センサーを除いた残りセンサーにとってセンサー情報を送信しないか、或いはセンサー情報を収集しないようにするリクエストを送信することができる。
【００２６】
代表センサーを決定する基準は、場合によって多様に選定されることができる。センサー情報処理装置１００は受信したセンサー情報に基づいて代表センサーを選定することができる。具体的にセンサー情報処理装置１００はセンサー情報に含まれたセンサーデータまたはセンサー関連情報のうちの少なくともいずれか１つに基づいて代表センサーを決定することができる。代表センサーが決定されると、センサー情報処理装置はセンサー情報を送信した電子装置にセンサー情報応答をフィードバック情報として送信することができる。センサー情報処理装置１００からセンサー情報応答を受信した複数のセンサー１０１、１０２、１０３、１０４及び１０５はセンサー情報応答の内容によって任意の時間の間にセンサー情報処理装置１００でセンサー情報を送信しないか、センサーを用いたセンサーデータ収集をしないこともある。または、一定条件が満足するまでセンサー情報処理装置１００でセンサー情報を送信しないか、センサーを用いたセンサーデータ収集をしないこともある。このような動作を通じて複数の家電機器に備えた複数のセンサー１０１、１０２、１０３、１０４及び１０５の電力リソース、通信リソース、メモリーリソースなどの使用効率が増加されることができる。
【００２７】
以下、上述したセンサー情報処理装置１００及び複数のセンサー１０１、１０２、１０３、１０４及び１０５を備えた電子装置の動作に対してより詳細に説明する。
【００２８】
図２は、本発明のセンサー情報処理装置の動作を示すフローチャートである。
【００２９】
図２によれば、本発明のセンサー情報処理装置は少なくとも１つ以上の電子装置からセンサー情報を受信することができる(２０１)。ここで電子装置は少なくとも１つ以上のセンサーを備えることができる。センサー情報は電子装置が備えた少なくとも１つのセンサーが収集したデータであるセンサーデータを含み、センサーデータは時間によって記録された値であることができる。また、センサー情報はセンサーデータ及び電子装置に係る情報であるセンサー関連情報をさらに含むことができる。具体的に、センサー関連情報はセンサーデータに係るものでセンサーデータを収集したセンサーの種類、位置などに関する情報と電子装置に係るものでセンサー情報を送信するセンサーのリスト(ｌｉｓｔ)または個数、センサーの電源類型、センサー情報を送信する信号の出力、センサー情報を記憶するメモリーサイズなどに関する情報を含むことができる。
【００３０】
本発明の一実施形態によれば、センサー情報処理装置がセンサー情報を受信する方法は、センサーを備えた電子装置にセンサー情報の送信をリクエストする方法と電子装置でセンサー情報を周囲端末で放送(ｂｒｏａｄｃａｓｔｉｎｇ)する方法があり得る。具体的にセンサー情報を受信する方法に対しては図３を通じてより詳細に説明する。
【００３１】
センサー情報処理装置は、受信したセンサー情報に基づいて代表センサーを決定することができる(２０３)。センサー情報処理装置は受信したセンサー情報の中でセンサー関連情報によって同一類型のセンサー別でグループ化(ｇｒｏｕｐｉｎｇ)できる。すなわち、センサー関連情報に含まれたセンサーの種類によって同一種類のセンサーから収集されたデータ同士グループ化できる。例えば、温度センサーデータは温度センサーデータ同士、湿度センサーデータは湿度センサーデータ同士グループ化できる。そして、各センサーデータ間の一定のパターンがあるか否か判断することができる。センサー情報処理装置が受信するセンサーデータは任意の空間に存在する電子装置に備えたセンサーが収集したことで、その変化パターンを一致させることができる。したがって、一定のパターンをセンサーデータ間の相互比較を通じて一定のパターンを獲得することができる。センサー情報処理装置は一定のパターンを見せるセンサーを関連センサーと決定して管理することができる。センサー情報処理装置は一定のパターンが獲得されると、関連センサーのうちのいずれか１つを代表センサーと決定することができる。具体的に代表センサーを決定する方法に対しては図４を通じてより詳細に説明する。
【００３２】
センサー情報処理装置は、代表センサーが決定されると、段階２０５で代表センサー関連情報を各電子装置で送信することができる。代表センサー関連情報は代表センサーのセンサーデータまたはパターン、代表センサーのセンサー関連情報、休眠状態関連情報のうちのいずれか１つ以上を含むことができる。代表センサーのセンサー関連情報は、センサー情報処理装置が受信した代表センサーのセンサー関連情報であり、休眠状態関連情報は代表センサーを除いた残りセンサーの動作を指示する情報であることができる。具体的に、休眠状態関連情報は関連センサーの中で代表センサー以外のセンサーの動作を一定時間の間にオフ(ＯＦＦ)させたり、センサーデータを送信しないようにしたり、代表センサーのパターンと相違するパターンが獲得されるまでセンサーデータを送信しないようにすることを指示する情報を含むことができる。代表センサー関連情報による多様な実施形態は図７乃至図８を通じてより詳細に説明する。
【００３３】
図３は、本発明によるセンサー情報処理装置が電子装置からセンサー情報を受信する方法を示す図面である。
【００３４】
センサー情報処理装置３１０は、電子装置３００からセンサーデータ及びセンサー関連情報を含むセンサー情報を受信することができる。図３によれば、センサー情報処理装置３１０は電子装置３００へセンサー情報の送信をリクエストすることができる(３０１；Ｓｕｂｓｃｒｉｐｔｉｏｎ ｒｅｑｕｅｓｔ)。すなわち、センサー情報処理装置３１０が持続的に電子装置３００からセンサー情報を受信するのではなく、センサー情報処理装置３１０のリクエストに従ってセンサー情報を受信することができる。センサー情報処理装置は代表センサーを決定する必要がある場合、センサー情報の送信をリクエストすることができる。センサー情報処理装置３１０が電子装置３００へ送信するセンサー情報送信リクエストには電子装置３００がセンサー情報を送信するためのイベント条件が含まれることができる。すなわち、任意の時間が過ぎた後にセンサー情報を送信したり、センサーデータが任意のサイズを超過する場合に限りセンサー情報を送信することをリクエストすることができる。
【００３５】
電子装置３００はセンサー情報処理装置３１０にセンサー情報送信リクエストに対する応答でセンサー情報送信応答(ＡＣＫ)を送信することができる(３０２)。
【００３６】
３０３段階で、電子装置はイベント(ｅｖｅｎｔ)によってセンサーからセンサーデータを収集することができる。電子装置のセンサーがセンサーデータを収集することはセンサー情報処理装置３１０のセンサー情報送信リクエスト３０１に従って行われることができる。すなわち、センサー情報送信リクエスト３０１を受信した後から直ちにセンサーデータを収集することもでき、任意の時間が経過した後にセンサーデータを収集することができる。または、しきい値を超過するセンサーデータ値が検出されると、センサーデータを収集することができる。または、センサーデータを予め設定された時間周期によって続いて収集しているから、３０３段階でイベントの発生によってセンサー情報をセンサー情報処理装置３１０へ送信することができる(３０４)。
【００３７】
センサー情報処理装置３１０は受信したセンサー情報に対する応答(ＡＣＫ)で、センサー情報応答を電子装置３００へ送信することができる(３０５)。
【００３８】
図３ではセンサー情報処理装置３１０が電子装置３００でセンサー情報送信リクエスト３０１)をすることによって電子装置３００がセンサー情報処理装置３１０でセンサー情報を送信する方法を示しているが、これはセンサー情報処理装置３１０がセンサー情報を獲得する１つの実施形態だけで、図３で説明した方式に限定されない。すなわち、電子装置３００が獲得したセンサー情報をブロードキャスティング(ｂｒｏａｄｃａｓｔｉｎｇ)方式で送信し、センサー情報処理装置３１０が必要によりブロードキャスティングされた送信からセンサー情報を獲得することもできる。
【００３９】
図４は、センサー情報処理装置が代表センサーを決定する方法を示すフローチャートである。
【００４０】
図４によれば、センサー情報処理装置は図３による方法または電子装置がブロードキャスティングする方法で、送信したセンサー情報を獲得し、獲得したセンサー情報に基づいて代表センサーを決定することができる。すなわち、図４は図２の２０３段階が行われる過程を示したフローチャートである。
【００４１】
４０１段階でセンサー情報処理装置は獲得したセンサー情報をセンサーの種類によってグループ化する。センサー情報の中でセンサー関連情報によって同一類型のセンサー別でデータをグループ化できる。また、センサー情報処理装置はセンサーの種類ではない他の属性に基づいてセンサーデータをグループ化することもできる。例えば、センサー情報処理装置はセンサーの種類によってセンサーをグループ化でき、温度センサーデータは温度センサーデータ同士、湿度センサーデータは湿度センサーデータ同士グループ化することができる。
【００４２】
４０３段階で、センサー情報処理装置はグループ化されたセンサー情報のセンサーデータの間にデータパターンが一致するか否かを判断する。センサーデータは温度データ、湿度データなどを意味し、これらデータは時間による値を含むことができる。したがって、時間によるデータの増減パターンが一致するのか判断して一定の類型のパターンがあるか否かを判断することができる。本発明でセンサーデータ処理装置が獲得したセンサーデータは各電子装置に備えたもので、各電子装置は一定の空間または範囲に存在しているので、特別な事情がない限り類似のセンサーデータパターンを持つことができる。
【００４３】
センサーデータのパターンが互いに一致しなくて共通されたパターンを抽出することができない場合、センサー情報処理装置は新しいセンサー情報を受信し(４０５)、新たに受信したセンサーデータのグループ化を行うことができる(４０１)。
【００４４】
４０３段階で、互いに一致するセンサーデータのパターンがある場合、センサー情報処理装置は各センサーデータを収集したセンサー間の関係を設定することができる(４０７)。具体的にセンサー情報処理装置は各センサーデータが代表されるパターンから何の差があるかを判断し、センサー間の関係を設定することができる。すなわち、センサーＡはセンサーＢと同じセンサーであり、同じセンサーデータパターンを持っている場合、センサーＡとセンサーＢを１つのファミリセンサーで分類して管理することができる。１つのファミリセンサーには少なくとも２つ以上のセンサーが含まれることができる。センサーをグループ化してファミリセンサーで分類する場合、センサー情報に含まれたセンサー関連情報が用いられることができる。
【００４５】
４０９段階で、センサー情報処理装置は４０７段階で決定されたセンサー間の関係、すなわち、ファミリセンサーで分類された少なくとも２以上のセンサーの中で代表センサーを決定することができる。
【００４６】
本発明で代表センサーを決定する基準は各センサーのセンサー情報に含まれたセンサー関連情報を用いて決定することができる。当該センサーが備えた電子装置の電源類型に基づいて代表センサーを決定することができる。すなわち、バッテリーを用いて動作する電子装置と有線電源を用いて動作する電子装置の間には有線電源を用いて動作する電子装置に備えたセンサーを代表センサーと決定し、バッテリーで動作する電子装置のバッテリー効率を増加させることができる。
【００４７】
多様な実施形態で、センサー情報処理装置は、図３で電子装置がセンサー情報処理装置から受信したセンサー情報送信リクエスト(Ｓｕｂｓｃｒｉｐｔｉｏｎ Ｒｅｑｕｅｓｔ)のリスト(Lｉｓｔ)に基づいて代表センサーを決定することができる。センサー情報送信リクエストが多い電子機器はより多い通信トラフィックを用いて通信資源の効率側面で１つの電子機器に多くの通信負荷が集中されることができる。したがって、センサー情報送信リクエスト(Ｓｕｂｓｃｒｉｐｔｉｏｎ ｒｅｑｕｅｓｔ)のリスト(Lｉｓｔ)が少ない電子装置、すなわちセンサー情報送信リクエストが少ないセンサーを代表センサーで選定して全体的な通信リソースの効率的操作を図ることができる。
【００４８】
本発明の一実施形態で、センサー情報処理装置は、受信したセンサー情報に含まれたセンサー関連情報を用いて決定することができる。具体的に、各センサー情報を送信した電子装置の受信信号強度によって代表センサーを決定することができる。受信信号の強度が大きい電子装置はより近くに位置したりより高い電力送信レベルで動作する電子装置であるか、受信されるセンサー情報の正確度が高いことであることができる。受信したセンサー情報の受信信号強度が強い電子装置が備えたセンサーを代表センサーと決定する場合、より正確なセンサー情報が受信され、高い電力効率が達成されることができる。
【００４９】
４０９段階で前記多様な実施形態によって代表センサーが決定されると、図２の２０５段階で進行して代表センサー関連情報を各センサー情報を送信した電子装置で送信することができる。ここで代表センサー関連情報は代表センサーのセンサーデータまたはパターン、代表センサーのセンサー関連情報、休眠状態関連情報、センサー間の関係設定情報、ファミリセンサー情報のうちのいずれか１つ以上を含むことができる。代表センサーのセンサー関連情報はセンサー情報処理装置が受信した代表センサーのセンサー関連情報であり、休眠状態関連情報は代表センサーを除いた残りセンサーの動作を指示する情報であることができる。具体的に休眠状態関連情報は関連センサーの中で代表センサー以外のセンサーの動作を一定時間の間にオフ(ＯＦＦ)させたり、センサーデータを送信しないようにするか、代表センサーのパターンと相違するパターンが獲得されるまでセンサーデータを送信しないようにすることを指示する情報を含むことができる。
【００５０】
図５は、本発明の実施形態による、代表センサーを決定し、代表センサー関連情報によって各センサーの動作のグラフを示すダイヤグラムである。
【００５１】
図５によれば、センサー情報処理装置が受信したセンサーデータはセンサー１及びセンサー２が収集した時間による値である。センサー１及びセンサー２は同じ種類のセンサーで、２つのセンサーは互いにファミリセンサーの関係があり得る。さらに、図５のグラフで示したように各センサーが収集したデータは同じ形態のパターンを示す。この場合、図４で説明した多様な実施形態によって代表センサーを決定することができる。図５ではセンサー１が代表センサーで決定された場合を示す。この場合、センサー情報処理装置はセンサー１の値を代表センサーのデータで記憶し、センサー２が送信したセンサーデータを削除することができる。また、センサー２にセンサー１の代表センサー関連情報を送信してセンサー２を備えた電子装置にとってセンサー情報の送信を中止するようにできる。
【００５２】
図６は、本発明のまた他の実施形態による、代表センサーを決定し、代表センサー関連情報によって各センサーの動作のグラフを示したダイヤグラムである。
【００５３】
図６によれば、センサー情報処理装置が受信したセンサーデータはセンサー１及びセンサー２が収集した時間による値である。図６のように、センサー１及びセンサー２は同じ種類のセンサーで２つのセンサーは互いにファミリセンサーの関係があり得る。また、図６のグラフで示したように各センサーが収集したデータは同じ形態のパターンを示す。ただ、図６のグラフと図５との差異は、図５は２つのセンサーのデータがほとんど同じ値を持つという点であるが、図６ではパターンは同一であるが時間によるセンサー値の差が維持されるという点である。したがって、この場合、センサー情報処理装置は図５のように単純にセンサー２の値を削除してセンサー２にセンサー情報を送信することを中止する代表センサー関連情報を送信するのではなく、センサー２に対する値も記憶する必要がある。ただ、メモリーの効率的な操作側面でセンサー２の値が代表センサーであるセンサー１の値と同じパターンを示しているので、センサー１とセンサー２のデータ値の差異のみを記憶し、センサー２にとってセンサー１に対する代表センサー関連情報を送信する時に活用することができる。代表センサーのデータ全部を送信するのではない、代表センサーのデータがセンサー２のデータと差があることを送信し、代表センサーのデータを送信することに代替することができる。この場合、センサー２は当該代表センサーのデータとの差異値のみを受信してセンサー１のデータを演算することができる。センサー情報処理装置はセンサー１の値を代表センサーのデータで記憶し、センサー２が送信したセンサーデータを削除することができる。また、センサー１とセンサー２のデータ差異値を記憶し、これをセンサー２に送信してセンサー２を備えた電子装置にとってセンサー情報の送信を中止するようにできる。
【００５４】
上述した図５及び図６に対する説明はセンサー情報処理装置が代表センサーを決定し、それに対する代表センサー関連情報を各電子装置に送信する場合に適用されることができる。また、図５乃至６の処理は、センサー情報処理装置が選択的に行うことができる。すなわち、差異値がしきい値未満の場合には図５の場合のように差異値を記憶しないこともあり、差異値がしきい値以上の場合には差異値を記憶したり送信することができる。
【００５５】
図７は本発明による、各センサーを備えた電子装置の動作を示すフローチャートである。
【００５６】
図７によれば、電子装置に備えたセンサーはセンサーデータを収集することができる(７０１)。センサーの種類によって当該センサーを備えた電子装置の例示は次の表１の通りである。
【００５７】
【表１】
0006710439.tif 000002
【００５８】
各センサーは温度、湿度または照度などのセンサー類型によるセンサーデータを収集することができる。センサーが収集したセンサーデータは時間による値であることができる。
【００５９】
電子装置は収集したセンサーデータ及びセンサー関連情報を含むセンサー情報をセンサー情報処理装置で送信することができる(７０３)。この場合、センサー情報処理装置から予めセンサー情報の送信をリクエストするメッセージ(Ｓｕｂｓｃｒｉｐｔｉｏｎ Ｒｅｑｕｅｓｔ)を受信した場合であることができ、当該センサー情報送信リクエストは各センサー別でリスト化して管理されることができる。ここでセンサーデータは各センサーが測定または収集したデータその自体であることができる。センサー関連情報は、センサーの種類、センサーの位置、センサーの電源類型、センサー情報を送信する信号の出力またはセンサーのセンサー情報リクエストリスト(Ｓｕｂｓｃｒｉｐｔｉｏｎ Ｒｅｑｕｅｓｔ Lｉｓｔ)などに関する情報を含むことができる。
【００６０】
センサー情報処理装置は受信したセンサー情報に基づいて代表センサーを決定し、代表センサー関連情報を各電子装置へ送信することができる。すなわち、電子装置はセンサー情報処理装置から代表センサー関連情報を受信することができる(７０５)。ここで代表センサー関連情報は代表センサーのセンサーデータまたはパターン、代表センサーのセンサー関連情報、休眠状態関連情報、センサー間の関係設定情報、ファミリセンサー情報のうちのいずれか１つ以上を含むことができる。
【００６１】
電子装置は７０７段階で受信した代表センサー関連情報に基づいて自分の備えたセンサーが代表センサーであるか否かを判断することができる。判断結果、自分のセンサーが代表センサーの場合には前記７０１段階乃至７０５段階を繰り返すことができる。
【００６２】
７０７段階で判断結果、自分の備えたセンサーが代表センサーではない場合には新しいセンサーデータを収集し(７０９)、新しいセンサーデータが代表センサーのパターンと許容偏差以内であるかを判断することができる(７１１)。判断結果、代表センサーのデータと許容偏差以内の場合には代表センサーを再決定する必要がないので、７０９段階乃至７１１段階を繰り返すことができる。
【００６３】
７１１段階で判断結果、代表センサーのデータパターンと許容偏差を超過する新しいセンサーデータが収集された場合にはセンサー情報処理装置にとって代表センサーを再決定する必要があるので、パターン再検査リクエストを送信することができる(７１３)。
【００６４】
図８は、本発明によるセンサー情報処理装置がパターン再検査リクエストを受信した場合の動作を示したフローチャートである。
【００６５】
図８によれば、センサー情報処理装置は代表センサーのデータパターンと許容偏差を超過する新しいセンサーデータを収集したセンサーを備えた電子装置からパターン再検査リクエストを受信することができる(８０１)。すなわち、図８でセンサー情報処理装置は事前に各電子装置からセンサー情報を受信し、受信したセンサー情報に基づいて代表センサーを決定した後、決定された代表センサー関連情報を各電子装置で送信したことを仮定する。
【００６６】
センサー情報処理装置は電子装置が送信したセンサーデータと予め記憶された代表センサーのデータを比べてパターンが一致するか否かを判断することができる(８０３)。判断結果、相変らず電子装置が送信したセンサーデータが代表センサーのパターンと一致する場合には代表センサーを再決定する必要がないので、何らの動作を取らないこともある。
【００６７】
しかし、８０３段階で判断した結果、電子装置が送信したセンサーデータが代表センサーのデータパターンと一致しない場合にはこれ以上代表センサーのデータが残りセンサーのデータを代表することができない。したがって、センサー情報処理装置はセンサー間の関係設定を解除することができる(８０５)。すなわち、これ以上、当該センサー同士ファミリセンサー関係に置かれていると判断し難いので、センサー間の関係を解除することができる。また、代表センサーの再決定必要が生じたので事前に各電子装置に送信した代表センサー関連情報に含まれた休眠状態設定情報を変更する必要がある。すなわち、各電子装置が備えたセンサーが収集したセンサー情報をさらに受信し、受信した新しいセンサー情報に基づいて代表センサーを決定する必要があるので、先だって電子装置へ送信した代表センサー関連情報に含まれた休眠状態設定情報を変更して送信することができる(８０７)。ここで変更された休眠状態設定情報は図３のセンサー情報送信リクエスト(Ｓｕｂｓｃｒｉｐｔｉｏｎ Ｒｅｑｕｅｓｔ)と共に送信されることができる。
【００６８】
休眠状態設定情報は、関連センサーの中で代表センサー以外のセンサーの動作を一定時間の間にオフ(ＯＦＦ)させたり、センサーデータを送信しないようにしたり、代表センサーのパターンと相違するパターンが獲得されるまでセンサーデータを送信しないようにすることを指示する情報を含むことができる。したがって、代表センサー関連情報に含まれた休眠状態設定情報は休眠状態にオン(Ｏｎ)として送信されることができ、図８の場合は休眠状態をオフ(Ｏｆｆ)と設定して送信することができる。
【００６９】
前記変更された休眠状態を受信した電子機器は当該センサーの休眠状態をオフ(Ｏｆｆ)で転換し、さらにセンサーデータを収集して当該センサーデータを含むセンサー情報をさらにセンサー情報処理装置で送信することができる。
【００７０】
図９は、本発明の一実施形態によるセンサー情報処理装置の構成を示すブロックダイヤグラムである。
【００７１】
図９によれば、本発明のセンサー情報処理装置は、通信部９０１、制御部９０３及び記憶部９０５を含むことができる。
【００７２】
図９では通信部９０１、制御部９０３及び記憶部９０５だけが示されているが、制御部９０３外に多様な機能を行う各種モジュールがあり得る。ただ、本明細書では便宜上、制御部９０３がすべての機能を行うことで説明する。
【００７３】
通信部９０１はセンサー情報処理装置のデータ通信を行う。
【００７４】
制御部９０３は少なくとも１つ以上の電子装置からセンサー情報を受信し、受信したセンサー情報に基づいて電子装置が備えた少なくとも１つ以上のセンサーのうちのいずれか１つのセンサーを代表センサーと決定し、少なくとも１つ以上の電子装置で代表センサー関連情報を送信することができる。
【００７５】
記憶部９０５は、代表センサー関連情報を記憶することができる。
【００７６】
多様な実施形態で、センサー情報は、少なくとも１つ以上のセンサーが収集したセンサーデータ及びセンサーと電子装置に関するセンサー関連情報から構成され、センサー関連情報は、センサーの種類、位置、センサー情報を送信するセンサーのリスト、センサーの電源類型、センサー情報を送信する信号の強度またはセンサー情報を記憶するメモリーサイズのうちの少なくともいずれか１つに関する情報を含むことができる。
【００７７】
また、代表センサー関連情報は、決定された代表センサーのセンサーデータまたはパターン、代表センサーのセンサー関連情報、休眠状態関連情報、センサー間の関係情報またはファミリセンサー情報のうちのいずれか１つを含むことができる。
【００７８】
制御部９０３は電子装置でセンサー情報送信リクエストを送信し、電子装置が送信したセンサー情報を受信することができる。また、制御部９０３はセンサー情報に含まれた少なくとも１つ以上のセンサーが収集したセンサーデータをセンサーの種類によってグループ化し、グループ化したセンサーデータのパターンが互いに一致するか否かを判断し、判断結果、一致するセンサーデータパターンを持つセンサーをファミリセンサーと決定し、ファミリセンサーのセンサーのセンサー関連情報に基づいて代表センサーを決定することができる。また、制御部９０３はファミリセンサーの中で有線電源によって動作する電子装置に備えたセンサーを代表センサーと決定したりファミリセンサーの中でセンサー情報を送信するセンサーの数が最も少ないセンサーを代表センサーと決定したりファミリセンサーの中でセンサー情報の受信信号強度が最も大きいセンサーを代表センサーと決定することができる。
【００７９】
図１０は、本発明の電子装置の構成を示す装置図である。
【００８０】
図１０によれば、本発明の電子装置は通信部１００１、制御部１００３、記憶部１００５及びセンサー部１００７を含むことができる。
【００８１】
図１０では通信部１００１、制御部１００３、記憶部１００５及びセンサー部１００７だけを含むことに示されたが、制御部１００３外に多様な機能を行う各種モジュールがあり得る。ただ、本明細書では説明の便宜上、制御部９０３がすべての機能を行うことで説明する。
【００８２】
通信部１００１はデータ通信を行うことができる。
【００８３】
センサー部１００７はセンサーデータを収集することができる。
【００８４】
記憶部１００５はセンサー情報及び前記代表センサーに関する情報を記憶することができる。
【００８５】
制御部１００３は、センサーデータ及び少なくとも１つのセンサーと電子装置に関する情報であるセンサー関連情報を含むセンサー情報をセンサー情報処理装置で送信し、センサー情報処理装置が決定した代表センサーに関する情報を受信することができる。
【００８６】
本発明の一実施形態によれば、センサー関連情報は、センサーの種類、位置、センサー情報を送信するセンサーのリスト、センサーの電源類型、センサー情報を送信する信号の強度またはセンサー情報を記憶するメモリーサイズのうちのいずれか１つに関する情報を含むことができる。また、代表センサーに係る情報は、一定の代表センサーのセンサーデータまたはパターン、代表センサーのセンサー関連情報、休眠状態関連情報、センサー間の関係情報またはファミリセンサー情報のうちのいずれか１つを含むことができる。
【００８７】
また、制御部１００３は、少なくとも１つのセンサーが代表センサーであるか否かをさらに判断することができ、判断結果、代表センサーではない場合、予め設定された時間が経過した後にセンサー情報を送信したり代表センサーのセンサーデータパターンと許容偏差を超過するセンサーデータが発生すればセンサー情報を送信することができる。
【００８８】
上述した実施形態ですべての段階は選択的に遂行の対象となるか、或いは省略の対象となることができる。また、各実施形態で段階は必ず順に起きる必要は無く、後先にすることができる。一方、本明細書及び図面に開示された本明細書の実施形態は本明細書の技術内容を容易に説明して本明細書の理解を助けるために特定例を提示したものであって、本明細書の範囲を限定しようとするものではない。すなわち、本明細書の技術的思想に基づいた他の変形例が実施可能であるということは本明細書が属する技術分野で通常の知識を有する者に自明なものである。
【００８９】
一方、本明細書及び図面には本発明の好ましい実施形態に対して開示した。たとえ特定用語が用いられたが、これはただ本発明の技術内容を容易に説明して発明の理解を助けるための一般的な意味で用いられたもので、本発明の範囲を限定しようとするものではない。ここに開示された実施形態の以外にも本発明の技術的思想に基づいた他の変形例が実施可能であるということは本発明が属する技術分野で通常の知識を有する者に自明なものである。したがって、本発明の範囲は実施形態に限定されることに定義されてはいけないし、添付された請求項及びそれと同等なもので定義されなければならない。
【符号の説明】
【００９０】
９０１  通信部
９０３  制御部
９０５  記憶部
１００１  通信部
１００３  制御部
１００５  記憶部
１００７  センサー部
【図１】
0006710439.tif 000003
【図２】
0006710439.tif 000004
【図３】
0006710439.tif 000005
【図４】
0006710439.tif 000006
【図５】
0006710439.tif 000007
【図６】
0006710439.tif 000008
【図７】
0006710439.tif 000009
【図８】
0006710439.tif 000010
【図９】
0006710439.tif 000011
【図１０】
0006710439.tif 000012